(57)【要約】【課題】バッテリへの搭載性を向上することができるヒューズユニットを提供する。【解決手段】屈曲部３が設けられたバスバ５と、屈曲部３を露出させバスバ５の一側と他側とに分割して形成される一対の分割ボディ７，９とを備え、屈曲部３で屈曲されて一対の分割ボディ７，９がＬ字状に配置されるヒューズユニット１において、一対の分割ボディ７，９に、屈曲部３の近傍で互いに係合し屈曲部３が屈曲方向と交差する方向に屈曲されることを防止する屈曲規制部１１を設けた。【選択図】図５
2014082039.tif 000002
【特許請求の範囲】
【請求項１】
屈曲部が設けられたバスバと、前記屈曲部を露出させ前記バスバの一側と他側とに分割して形成される一対の分割ボディとを備え、前記屈曲部で屈曲されて前記一対の分割ボディがＬ字状に配置されるヒューズユニットであって、
前記一対の分割ボディには、前記屈曲部の近傍で互いに係合し前記屈曲部が屈曲方向と交差する方向に屈曲されることを防止する屈曲規制部が設けられていることを特徴とするヒューズユニット。
【請求項２】
請求項１記載のヒューズユニットであって、
前記屈曲規制部は、前記屈曲部の屈曲方向に沿って互いに係合する複数の凹凸部からなることを特徴とするヒューズユニット。
【請求項３】
請求項１又は２記載のヒューズユニットであって、
前記屈曲規制部は、前記屈曲部から離間して配置されていることを特徴とするヒューズユニット。
【発明の詳細な説明】
【技術分野】
【０００１】
本発明は、ヒューズユニットに関する。
【背景技術】
【０００２】
従来、ヒューズユニットとしては、屈曲部としての可撓部が設けられたバスバとしてのヒューズエレメントと、可撓部を露出させヒューズエレメントの一側と他側とに分割して形成される一対の分割ボディとしての一方の分割ボディと他方の分割ボディとを備えたものが知られている（例えば、特許文献１参照）。
【０００３】
このヒューズユニットでは、ヒューズエレメントの可撓部が屈曲され、一方の分割ボディと他方の分割ボディとがＬ字状に配置される。このようにヒューズユニットをＬ字状にすることにより、ヒューズユニットの全長の大型化を抑制し、ヒューズ回路の多様化に対応することができる。
【先行技術文献】
【特許文献】
【０００４】
【特許文献１】特開２００２−３２９４５７号公報
【発明の概要】
【発明が解決しようとする課題】
【０００５】
しかしながら、上記特許文献１のようなヒューズユニットでは、屈曲部の屈曲の際に、屈曲部が斜めに屈曲されるなど、屈曲部が屈曲方向と交差する方向に屈曲されてしまうことがあった。
【０００６】
このように屈曲部が屈曲方向と交差する方向に屈曲されてしまうと、ヒューズユニットが正規のＬ字状形態をなさず、ヒューズユニットをバッテリに搭載する際に、バッテリの周辺部材との干渉やバッテリに対する搭載位置が異なるなど、ヒューズユニットのバッテリへの搭載性が低下する恐れがあった。
【０００７】
そこで、この発明は、バッテリへの搭載性を向上することができるヒューズユニットの提供を目的としている。
【課題を解決するための手段】
【０００８】
請求項１記載の発明は、屈曲部が設けられたバスバと、前記屈曲部を露出させ前記バスバの一側と他側とに分割して形成される一対の分割ボディとを備え、前記屈曲部で屈曲されて前記一対の分割ボディがＬ字状に配置されるヒューズユニットであって、前記一対の分割ボディには、前記屈曲部の近傍で互いに係合し前記屈曲部が屈曲方向と交差する方向に屈曲されることを防止する屈曲規制部が設けられていることを特徴とする。
【０００９】
このヒューズユニットでは、一対の分割ボディに屈曲部の近傍で互いに係合し屈曲部が屈曲方向と交差する方向に屈曲されることを防止する屈曲規制部が設けられているので、屈曲部を正常に屈曲させることができ、一対の分割ボディを正規のＬ字状形態とすることができる。
【００１０】
従って、このようなヒューズユニットでは、屈曲規制部によって一対の分割ボディを正規のＬ字状形態とすることができるので、バッテリへの搭載性を向上することができる。
【００１１】
請求項２記載の発明は、請求項１記載のヒューズユニットであって、前記屈曲規制部は、前記屈曲部の屈曲方向に沿って互いに係合する複数の凹凸部からなることを特徴とする。
【００１２】
このヒューズユニットでは、屈曲規制部が屈曲部の屈曲方向に沿って互いに係合する複数の凹凸部からなるので、簡易な構造で屈曲部の屈曲を案内することができ、屈曲部の屈曲を安定化することができる。
【００１３】
請求項３記載の発明は、請求項１又は２記載のヒューズユニットであって、前記屈曲規制部は、前記屈曲部から離間して配置されていることを特徴とする。
【００１４】
このヒューズユニットでは、屈曲規制部が屈曲部から離間して配置されているので、屈曲規制部が屈曲部に影響を与えることがなく、屈曲部と屈曲規制部とを独立して設計することができる。
【発明の効果】
【００１５】
本発明によれば、バッテリへの搭載性を向上することができるヒューズユニットを提供することができるという効果を奏する。
【図面の簡単な説明】
【００１６】
【図１】本発明の実施の形態に係るヒューズユニットの斜視図である。
【図２】本発明の実施の形態に係るヒューズユニットの屈曲部を屈曲させる前の状態の上面図である。
【図３】本発明の実施の形態に係るヒューズユニットの一方の分割ボディの斜視図である。
【図４】本発明の実施の形態に係るヒューズユニットの他方の分割ボディの斜視図である。
【図５】本発明の実施の形態に係るヒューズユニットの要部拡大図である。
【発明を実施するための形態】
【００１７】
図１〜図５を用いて本発明の実施の形態に係るヒューズユニットについて説明する。
【００１８】
本実施の形態に係るヒューズユニット１は、屈曲部３が設けられたバスバ５と、屈曲部３を露出させバスバ５の一側と他側とに分割して形成される一対の分割ボディ７，９とを備え、屈曲部３で屈曲されて一対の分割ボディ７，９がＬ字状に配置される。
【００１９】
そして、一対の分割ボディ７，９には、屈曲部３の近傍で互いに係合し屈曲部３が屈曲方向と交差する方向に屈曲されることを防止する屈曲規制部１１が設けられている。
【００２０】
また、屈曲規制部１１は、屈曲部３の屈曲方向に沿って互いに係合する複数の凹凸部１３，１５からなる。
【００２１】
さらに、屈曲規制部１１は、屈曲部３から離間して配置されている。
【００２２】
図１〜図５に示すように、バスバ５は、導電性材料からなり、薄板状に形成されている。また、バスバ５には、過電流によって溶断するヒューズ１７が一体に形成されている。
【００２３】
このバスバ５は、バッテリ（不図示）の上面側に位置される部分にバッテリ端子（不図示）、オルタネータ端子（不図示）、スタータモータ端子（不図示）などが接続される複数の上面接続部１９が設けられ、バッテリの側面側に位置される部分に電装品などの負荷に接続された端子が接続される複数の側面接続部２１が設けられている。
【００２４】
このようなバスバ５は、バッテリと負荷との間に配置され、バッテリと負荷との間をヒューズ１７を介して接続するヒューズ回路を構成するヒューズエレメントとなっている。このバスバ５には、屈曲部３が設けられている。
【００２５】
屈曲部３は、離間して並列に２つ配置され、それぞれ異なるヒューズ回路を構成している。この屈曲部３を折り曲げ加工することにより、ヒューズユニット１がＬ字状に形成される。このようにヒューズユニット１をＬ字状に形成することにより、ヒューズユニット１の全長の大型化が抑制され、バッテリの周辺部材との干渉を防止することができると共に、ヒューズ回路の多様化に対応することができる。
【００２６】
このような屈曲部３が設けられたバスバ５は、屈曲部３を境界として、バッテリの上面側に位置される一側と、バッテリの側面側に位置される他側とに、屈曲部３を屈曲させる前の状態で、一対の分割ボディ７，９がインサート成形される。
【００２７】
一対の分割ボディ７，９は、合成樹脂材料からなり、それぞれ内部にバスバ５を内蔵するように、金型などによってバスバ５と一体成形される。この一対の分割ボディ７，９をバスバ５と一体成形させると、バスバ５の屈曲部３を屈曲可能とさせるため、バスバ５の屈曲部３が露出した状態となる。
【００２８】
このように一対の分割ボディ７，９から露出した屈曲部３は、屈曲される際に、例えば、屈曲線が斜めになるなど、屈曲方向と交差する方向に屈曲されてしまうことがあった。このような場合、一対の分割ボディ７，９が正規のＬ字状形態をなさず、バッテリの所定の配置位置に配置できない恐れがあった。そこで、一対の分割ボディ７，９の屈曲部３近傍には、屈曲規制部１１がそれぞれ設けられている。
【００２９】
屈曲規制部１１は、一対の分割ボディ７，９にそれぞれ設けられ、互いに係合する複数の凹凸部１３，１５からなる。この複数の凹凸部１３，１５は、屈曲部３の幅方向の端部に屈曲部３から離間して配置されている。
【００３０】
このような複数の凹凸部１３，１５のうち凸部１５，１５は、対向して配置された凹部１３，１３に係合されている。この複数の凹部１３，１３は、屈曲部３が屈曲される前の状態から屈曲部３の屈曲が完了するまで、常時、屈曲部３の屈曲方向に沿って係合されている。
【００３１】
この屈曲規制部１１は、複数の凹凸部１３，１５が屈曲部３の屈曲方向に沿って係合されているので、屈曲線が斜めになるような屈曲方向と交差する方向に屈曲部３が屈曲されようとしても、複数の凹凸部１３，１５の係合により屈曲部３における屈曲線が変動されることがなく、屈曲部３を正常に屈曲させることができる。
【００３２】
一方、屈曲規制部１１は、屈曲部３と離間して配置されているので、複数の凹凸部１３，１５が互いに係合していても、屈曲部３の屈曲に影響を与えることがない。このため、屈曲部３と屈曲規制部１１とを独立して設計することができ、屈曲部３と屈曲規制部１１との設計の自由度を向上することができる。
【００３３】
このように屈曲規制部１１は、複数の凹凸部１３，１５の係合により屈曲部３が屈曲方向と交差する方向に屈曲されることを防止でき、屈曲部３を屈曲させるだけで、安定して一対の分割ボディ７，９を正規のＬ字状形態とすることができる。
【００３４】
このようなヒューズユニット１では、一対の分割ボディ７，９に屈曲部３の近傍で互いに係合し屈曲部３が屈曲方向と交差する方向に屈曲されることを防止する屈曲規制部１１が設けられているので、屈曲部３を正常に屈曲させることができ、一対の分割ボディ７，９を正規のＬ字状形態とすることができる。
【００３５】
従って、このようなヒューズユニット１では、屈曲規制部１１によって一対の分割ボディ７，９を正規のＬ字状形態とすることができるので、バッテリへの搭載性を向上することができる。
【００３６】
また、屈曲規制部１１は、屈曲部３の屈曲方向に沿って互いに係合する複数の凹凸部１３，１５からなるので、簡易な構造で屈曲部３の屈曲を案内することができ、屈曲部３の屈曲を安定化することができる。
【００３７】
さらに、屈曲規制部１１は、屈曲部３から離間して配置されているので、屈曲規制部１１が屈曲部３に影響を与えることがなく、屈曲部３と屈曲規制部１１とを独立して設計することができる。
【００３８】
なお、本発明の実施の形態に係るヒューズユニットでは、屈曲規制部が複数の凹凸部となっているが、これに限らず、屈曲部の屈曲方向に沿って互いに係合する複数の凸部のみであってもよい。
【００３９】
また、屈曲規制部は、屈曲部の幅方向の端部に設けられているが、これに限らず、例えば、屈曲部の背面側に屈曲部から離間して配置された互いに係合する複数の凹凸部など、屈曲部の屈曲に干渉しなければ、その配置位置や形態はどのようなものであってもよい。
【符号の説明】
【００４０】
１…ヒューズユニット
３…屈曲部
５…バスバ
７，９…一対の分割ボディ
１１…屈曲規制部
１３，１５…凹凸部
【図１】
2014082039.tif 000003
【図２】
2014082039.tif 000004
【図３】
2014082039.tif 000005
【図４】
2014082039.tif 000006
【図５】
2014082039.tif 000007